(57)【要約】通信システム内でパイロットトーンのためのサブバンドを選択し、パイロットトーンを含むデータユニットを送受信するためのシステムおよび方法が提供される。１つの実施形態では、チャネルパラメータを決定することならびにチャネルパラメータおよびパイロットトーンに以前に割り当てられたサブバンドに基づいてパイロットトーンのためのサブバンドを選択することを備える方法が提供される。他の実施形態ではサブバンドが、チャネルパラメータが条件を満たす場合にインクリメントされる。他の実施形態では、それぞれがパイロットトーンを有する多重データユニットを送信するための方法が提供され、引き続いて送信されたデータユニットが、インクリメントされたサブバンドに関連したパイロットトーンを有する。他の実施形態では、各さらなる後続のデータユニットのさらなるインクリメントされたサブバンドが、所定の間隔だけインクリメントされた以前に送信されたデータユニットのサブバンドである。
2009538058.tif 000002
【特許請求の範囲】
【請求項１】
通信システム内でパイロットトーンのサブバンドをインクリメントするための方法であって、
インジケータを受信することと、
前記インジケータの受信に応答して前記パイロットトーンの前記サブバンドをインクリメントすることと
を備える方法。
【請求項２】
前記パイロットトーンの前記サブバンドをインクリメントすることは、所定の間隔だけ前記サブバンドをインクリメントすることを含む、請求項１に記載の方法。
【請求項３】
前記通信システムは送信機および受話器を含み、前記インジケータは前記受話器から前記送信機によって受信される、請求項１に記載の方法。
【請求項４】
多重データユニットのそれぞれがパイロットトーンを含む前記多重データユニットを送信するための方法であって、
第１のデータユニットの前記パイロットトーンが第１のサブバンドに関連している前記第１のデータユニットを送信することと、
後続のデータユニットの前記パイロットトーンがインクリメントされたサブバンドに関連している前記後続のデータユニットを送信することと
を備える方法。
【請求項５】
前記後続のデータユニットの前記インクリメントされたサブバンドは、所定の間隔だけインクリメントされた前記第１のデータユニットの前記サブバンドである、請求項４に記載の方法。
【請求項６】
さらなる後続のデータユニットを引き続いて送信すること
をさらに備え、各さらなる後続のデータユニットの前記パイロットトーンはさらなるインクリメントされたサブバンドに関連している、請求項４に記載の方法。
【請求項７】
各さらなる後続のデータユニットの前記さらなるインクリメントされたサブバンドは、所定の間隔だけインクリメントされた以前に送信されたデータユニットに関連した前記サブバンドである、請求項６に記載の方法。
【請求項８】
多重データユニットが無線ＭＩＭＯ／ＯＦＤＭシステムを介して送信される、請求項４に記載の方法。
【請求項９】
多重データユニットのそれぞれがパイロットトーンを含む前記多重データユニットを送信するための方法であって、
第１のデータユニットの前記パイロットトーンが第１のサブバンドに割り当てられる前記第１のデータユニットを送信することと、
パイロットホッピング条件が満たされるかどうかを決定することと、
後続のデータユニットを送信することと
を備え、
前記パイロットホッピング条件が満たされない場合、前記後続のデータユニットの前記パイロットトーンは前記第１のサブバンドに関連しており、
前記パイロットホッピング条件が満たされる場合、前記後続のデータユニットの前記パイロットトーンはインクリメントされたサブバンドに関連している、方法。
【請求項１０】
前記インクリメントされたサブバンドは、所定の間隔だけインクリメントされた前記以前のデータユニットの前記パイロットトーンの前記サブバンドである、請求項９に記載の方法。
【請求項１１】
前記パイロットホッピング条件が満たされるかどうかを決定することは、チャネルパラメータを決定することをさらに備える、請求項９に記載の方法。
【請求項１２】
前記パイロットホッピング条件が満たされるかどうかを決定することは、前記チャネルパラメータが閾値条件を満たすかどうかを決定することをさらに備える、請求項１１に記載の方法。
【請求項１３】
前記多重データユニットのそれぞれはシーケンス識別子をさらに備える、請求項１２に記載の方法。
【請求項１４】
前記パイロットホッピング条件が満たされるかどうかを決定することは、受話器からインジケータを受信することをさらに備える、請求項１２に記載の方法。
【請求項１５】
多重データユニットを送信するように構成された装置であって、
少なくとも１つのアンテナに結合されるように適応された出力と、
前記出力に結合され、前記出力に連続して供給されるべきデータユニットを生成するように動作可能である送信機装置と
を備え、前記データユニットのそれぞれはパイロットトーンを含み、
前記送信機装置が第１のサブバンドに前記第１のデータユニットの前記パイロットトーンを割り当て、インクリメントされたサブバンドに各後続のデータユニットの前記パイロットトーンを割り当てるようにさらに動作可能である、装置。
【請求項１６】
各後続のデータユニットの前記インクリメントされたサブバンドは、固定の間隔だけインクリメントされた以前のデータユニットの前記サブバンドである、請求項１５に記載の装置。
【請求項１７】
前記多重データユニットのそれぞれはシーケンス識別子をさらに備える、請求項１５に記載の装置。
【請求項１８】
前記多重データユニットのそれぞれはデータパケットである、請求項１５に記載の装置。
【請求項１９】
前記多重データユニットのそれぞれはバーストである、請求項１５に記載の装置。
【請求項２０】
前記多重データユニットのそれぞれはプロトコルデータユニットである、請求項１５に記載の装置。
【請求項２１】
多重データユニットを送信するように構成された装置であって、
少なくとも１つのアンテナに結合されるように適応された少なくとも１つの出力と、
前記出力に結合され、前記出力に連続して供給されるべきデータユニットを生成するように動作可能である送信機装置と
を備え、前記データユニットのそれぞれはパイロットトーンを含み、
前記送信機装置は、
第１のサブバンドに前記第１のデータユニットの前記パイロットトーンを割り当て、
パイロットホッピング条件が満たされるかどうかを決定し、
前記パイロットホッピング条件が満たされる場合、インクリメントされたサブバンドに各後続のデータの前記パイロットトーンを割り当てる
ようにさらに動作可能である、装置。
【請求項２２】
各後続のデータユニットの前記インクリメントされたサブバンドは、所定の間隔だけインクリメントされた以前のデータユニットの前記サブバンドである、請求項２１に記載の装置。
【請求項２３】
前記送信機装置は、前記パイロットホッピング条件が満たされない場合、前記第１のサブバンドに各後続のデータユニットの前記パイロットトーンを割り当てるように動作可能である、請求項２１に記載の装置。
【請求項２４】
前記送信機装置は、チャネルパラメータを決定するようにさらに動作可能である、請求項２１に記載の装置。
【請求項２５】
前記送信機装置は、前記チャネルパラメータが閾値条件を満たすかどうかを決定するようにさらに動作可能である、請求項２４に記載の装置。
【請求項２６】
シーケンス識別子およびサブバンドに割り当てられたパイロットトーンを備える受信されたデータユニットを処理するように構成された装置であって、
少なくとも１つのアンテナに結合されるように適応された少なくとも１つの入力と、
前記入力に結合され、
前記入力から前記データユニットを受信し、
前記データユニットの前記シーケンス識別子を決定し、
前記データユニットの前記シーケンス識別子に基づいて前記受信されたデータユニットの前記パイロットローンに割り当てられる前記サブバンドを決定するように構成された受話器装置と
を備える装置。
【請求項２７】
前記受話器装置は、以前に受信されたデータユニットに割り当てられた前記サブバンドをインクリメントすることによって前記受信されたユニットの前記パイロットトーンに割り当てられる前記サブバンドを決定するようにさらに構成されている、請求項２６に記載の装置。
【請求項２８】
前記以前に受信されたデータユニットに割り当てられた前記サブバンドは、前記データユニットの前記シーケンス識別子に基づいている間隔だけインクリメントされる、請求項２７に記載の装置。
【請求項２９】
パイロットトーンに割り当てられるべきサブバンドを選択するように構成された装置であって、
チャネルパラメータを決定するための手段と、
前記チャネルパラメータおよびパイロットトーンに以前に割り当てられたサブバンドに基づいて前記パイロットトーンに割り当てられるべき前記サブバンドを選択するための手段と
を備える装置。
【請求項３０】
前記チャネルパラメータが閾値条件を満足するかどうかを決定するための手段と、
所定の間隔だけ前記パイロットトーンに以前に割り当てられた前記サブバンドをインクリメントし、前記チャネルパラメータが前記閾値条件を満足しない場合、前記パイロットトーンに割り当てられるべき前記サブバンドとして前記インクリメントされたサブバンドを選択するための手段と
をさらに備える、請求項２９に記載の装置。
【請求項３１】
前記チャネルパラメータはＳＮ比である、請求項２９に記載の装置。
【請求項３２】
前記チャネルパラメータはビット誤り率である、請求項３１に記載の装置。
【請求項３３】
１つまたは複数のプロセッサによって方法を実行するための命令を搬送する機械可読メディアであって、前記命令は、
チャネルパラメータを決定するための命令と、
前記チャネルパラメータおよびパイロットトーンに以前に割り当てられたサブバンドに基づいて前記パイロットトーンに割り当てられるべきサブバンドを選択するための命令と
を備える、機械可読メディア。
【請求項３４】
多重データユニットのそれぞれがパイロットトーンを含む前記多重データユニットを送信するように構成された装置であって、
第１のデータユニットの前記パイロットトーンが第１のサブバンドに割り当てられる前記第１のデータユニットを送信するための手段と、
パイロットホッピング条件が満たされるかどうかを決定するための手段と、
後続のデータユニットを送信するための手段と
を備え、
前記パイロットホッピング条件が満たされない場合、前記後続のデータユニットの前記パイロットトーンは前記第１のサブバンドに関連しており、
前記パイロットホッピング条件が満たされる場合、前記後続のユニットの前記パイロットトーンはインクリメントされたサブバンドに関連している、装置。
【請求項３５】
前記インクリメントされたサブバンドは、所定の間隔だけインクリメントされた前記以前のデータユニットの前記サブバンドである、請求項３４に記載の装置。
【請求項３６】
パイロットホッピング条件が満たされるかどうかを決定するための前記手段は、チャネルパラメータを決定するための手段をさらに備える、請求項３４に記載の装置。
【請求項３７】
パイロットホッピング条件が満たされるかどうかを決定するための前記手段は、前記チャネルパラメータが閾値条件を満たすかどうかを決定するための手段をさらに備える、請求項３６に記載の装置。
【請求項３８】
パイロットホッピング条件が満たされるかどうかを決定するための前記手段は、受話器からインジケータを受信するための手段をさらに備える、請求項３６に記載の装置。
【請求項３９】
１つまたは複数のプロセッサによって方法を実行するための命令を搬送する機械可読メディアであって、前記命令は、
第１のサブバンドに割り当てられたパイロットトーンを含む第１のデータユニットを送信するための命令と、
パイロットホッピング条件が満たされるかどうかを決定するための命令と、
第２のパイロットトーンを含む後続のデータユニットを送信するための命令と
を備え、
前記パイロットホッピング条件が満たされない場合、前記第２のパイロットトーンは前記第１のサブバンドに関連しており、
前記パイロットホッピング条件が満たされる場合、前記第２のパイロットトーンはインクリメントされたサブバンドに関連している、機械可読メディア。
【請求項４０】
シーケンス識別子およびサブバンドに関連したパイロットトーンを備える受信されたデータユニットを処理するように構成された装置であって、
前記受信されたデータユニットの前記シーケンス識別子を決定するための手段と、
前記データユニットの前記シーケンス識別子に基づいて前記受信されたデータユニットの前記パイロットトーンに関連した前記サブバンドを決定するための手段と
を備える装置。
【請求項４１】
前記受信されたデータユニットの前記パイロットトーンに割り当てられた前記サブバンドを決定するための前記手段は、以前に受信されたデータユニットに関連した前記サブバンドを間隔だけインクリメントするための手段をさらに備え、前記間隔は前記受信されたデータユニットの前記シーケンス識別子に基づいている、請求項４０に記載のシステム。
【請求項４２】
１つまたは複数のプロセッサによって方法を実行するための命令を搬送する機械可読メディアであって、前記命令は、
パイロットトーンを有するデータユニットのシーケンス識別子を決定するための命令と、
前記データユニットの前記シーケンス識別子に基づいて前記データユニットの前記パイロットトーンに関連した前記サブバンドを決定するための命令と
を備える、機械可読メディア。
【発明の詳細な説明】
【技術分野】
【０００１】
本開示は、多重通信の分野に関し、より具体的にはＭＩＭＯパイロットトーンの周波数を変えることによって多重入力多重出力（「ＭＩＭＯ」）システムの性能を向上するためのシステムおよび方法に関する。
【背景技術】
【０００２】
２００７年半ばに最終的に承認されることが予期される無線通信に関するＩＥＥＥ８０２．１１ｎ規格は、８０２．１１規格の以前のバージョンによって採用された直交周波数分割多重（ＯＦＤＭ）技術に多重入力多重出力（ＭＩＭＯ）の多重化を組み込む。ＭＩＭＯシステムは、非多重化システムと比較してかなり強化されたスループットおよび／または増大された信頼性という利点を有する。
【０００３】
単一の送信アンテナから単一の受信アンテナに単一の直列化されたデータ流れを送信するのではなく、ＭＩＭＯシステムは同一の周波数チャネル内で同時に並列に変調され送信される多重の固有の流れにデータ流れを分割し、各流れはそれ自体の空間的に離散されたアンテナチェーンによって送信される。受信端では１つまたは複数のＭＩＭＯ受話器のアンテナチェーンが、各個別の伝送によってとられることができる多重経路によって決定される多重送信されるデータ流れの線形結合を受信する。下記でより詳細に説明されるように、次いでデータ流れは処理のために分離される。
【０００４】
概してＭＩＭＯシステムは、データ伝送のために多重送信アンテナおよび多重受信アンテナを使用する。ＮＴ個の送信アンテナおよびＮＲ個の受信アンテナによって形成されるＭＩＭＯチャネルは、独立した仮想チャネルに対応するＮＳ個の固有モードに分解されることができ、ここでＮＳ≦ｍｉｎ｛ＮＴ，ＮＲ｝である。
【０００５】
無線通信システムでは、まず送信されるべきデータが、無線チャネルを介して伝送により適しているＲＦ変調信号を生成するために無線周波数（ＲＦ）搬送信号上に変調される。ＭＩＭＯシステムの場合、最大でＮＴ個のＲＦ変調信号が、生成され、ＮＴ個の送信アンテナから同時に送信されることができる。送信されたＲＦ変調信号は、無線チャネル内の複数の伝搬路を介してＮＲ個の受信アンテナに到達することができる。送信された信号に対する受信された信号の関係は下記のように説明されることができる。
【０００６】
ＳＲ＝ＨＳＴ＋ｎ      式（１）
ここでＳＲは、ＮＲ個の受信アンテナのそれぞれで受信される信号に対応するＮＲ個の成分の複素ベクトルであり、ＳＴは、ＮＴ個の送信アンテナのそれぞれで送信される信号に対応するＮＴ個の成分の複素ベクトルであり、Ｈは、成分が各受信アンテナで受信される各送信アンテナからの信号の振幅を説明する複素係数を表すＮＲ×ＮＴ行列であり、ｎは、各受信アンテナで受信される雑音を表すベクトルである。
【０００７】
典型的には伝搬路の特性は、例えば、フェージング、多重通路、および外部干渉などの複数の要因により経時的に変わる。その結果、送信されたＲＦ変調信号は、様々なチャネル状態（例えば、様々なフェージングおよび多重通路の影響）に遭う可能性があり、様々な複雑な利得およびＳＮ比（ＳＮＲ）に関連しうる。式（１）では、これらの特性は行列Ｈ内で符号化される。
【０００８】
高い性能を達成するために、無線チャネルの応答を特徴づけることがしばしば必要である。チャネル応答は、スペクトル雑音、ＳＮ比、ビットレート、または他の性能パラメータなどのパラメータによって説明されることができる。送信機は、例えば、下記で説明される受話器へのデータ伝送のための空間処理を行うためにチャネル応答を把握する必要がありうる。同様に受話器は、送信されたデータを再生するために受信された信号に空間処理を行うためにチャネル応答を把握する必要がありうる。
【０００９】
多くの無線通信システムでは、パイロットトーンとして知られる１つまたは複数の参照信号が、受話器が複数の機能を行う助けをするために送信機によって送信される。受話器は、チャネル応答を推定するために、ならびにタイミングおよび周波数収集、データ復調などを含む他の機能のためにパイロットトーンを使用することができる。概して、１つまたは複数のパイロットトーンは受話器に把握されているパラメータを用いて送信される。受信されたパイロットトーンの振幅および位相をパイロットトーンの既知の伝送パラメータと比較することによって、受信プロセッサはチャネルパラメータを算定して、それが送信されたデータ流れ内の雑音および誤りを補償することができる。パイロットトーンの使用は、「Ｕｐｌｉｎｋ  ｐｉｌｏｔ  ａｎｄ  ｓｉｇｎａｌｉｎｇ  ｔｒａｎｓｍｉｓｓｉｏｎ  ｉｎ  ｗｉｒｅｌｅｓｓ  ｃｏｍｍｕｎｉｃａｔｉｏｎ  ｓｙｓｔｅｍｓ」と題する米国特許第６，９２８，０６２号でさらに議論され、内容は参照することにより本明細書に組み込まれている。
【特許文献１】仮出願第６０／８００，６７７号
【特許文献２】米国特許第６，９２８，０６２号
【発明の開示】
【発明の概要】
【００１０】
本特許出願は、参照により本明細書に明確に組み込まれている本明細書のおよび本明細書による譲受人に譲渡された、２００６年５月１５日に出願した「Ｆｒｅｑｕｅｎｃｙ  Ｈｏｐｐｉｎｇ  ｏｆ  Ｐｉｌｏｔ  Ｔｏｎｅｓ  ｉｎ  ａ  ＭＩＭＯ／ＯＦＤＭ  Ｓｙｓｔｅｍ」と題する仮出願第６０／８００，６７７号の優先権を主張するものである。
【００１１】
１つの実施形態では、通信システム内でパイロットトーンのサブバンドをインクリメントするための方法が提供され、その方法は、インジケータを受信することおよびインジケータの受信に応答してパイロットトーンのサブバンドをインクリメントすることを備える。他の実施形態では、パイロットトーンのサブバンドをインクリメントすることが、所定の間隔だけサブバンドをインクリメントすることを含む。他の実施形態では、通信システムが送信機および受話器を含み、インジケータは送信機によって受話器から受信される。
【００１２】
さらなる実施形態では、多重データユニットのそれぞれがパイロットトーンを含む多重データユニットを送信するための方法が提供され、その方法は、パイロットトーンが第１のサブバンドに関連している第１のデータユニットを送信すること、および後続のデータユニットを送信することを備え、後続のデータユニットのパイロットトーンがインクリメントされたサブバンドに関連している。他の実施形態では、後続のデータユニットのインクリメントされたサブバンドは、所定の間隔だけインクリメントされた第１のデータユニットのサブバンドである。他の実施形態ではその方法は、さらなる後続のデータユニットを引き続いて送信することを備え、各さらなる後続のデータユニットのパイロットトーンは、さらなるインクリメントされたサブバンドと関連している。他の実施形態では、各さらなる後続のデータユニットのさらなるインクリメントされたサブバンドは、所定の間隔だけインクリメントされた以前に送信されたデータユニットに関連したサブバンドである。他の実施形態では、多重データユニットは無線ＭＩＭＯ／ＯＦＤＭシステムを介して送信される。
【００１３】
さらなる実施形態では、各データユニットがパイロットトーンを含む多重データユニットを送信するための方法が提供され、その方法は、パイロットトーンが第１のサブバンドに割り当てられる第１のデータユニットを送信すること、パイロットホッピング条件が満たされるかどうかを決定すること、および後続のデータユニットを送信することを備え、パイロットホッピング条件が満たされない場合、後続のデータユニットのパイロットトーンは第１のサブバンドに関連しており、パイロットホッピング条件が満たされる場合、後続のデータユニットのパイロットトーンはインクリメントされたサブバンドに関連している。他の実施形態ではインクリメントされたサブバンドは、所定の間隔だけインクリメントされた以前のデータユニットのパイロットトーンのサブバンドである。他の実施形態では、パイロットホッピング条件が満たされるかどうかを決定することが、チャネルパラメータを決定することをさらに備える。他の実施形態では、パイロットホッピングが満たされるかどうかを決定することが、チャネルパラメータが閾値条件を満たすかどうかを決定することをさらに備える。さらなる実施形態では、多重データユニットのそれぞれがシーケンス識別子をさらに備える。他の実施形態では、パイロットホッピングが満たされるかどうかを決定することが、受話器からインジケータを受信することをさらに備える。
【００１４】
さらなる実施形態では、多重データユニットを送信するように構成された装置が提供され、その装置は、少なくとも１つのアンテナに結合されるように構成された出力および出力に結合され、出力に連続して供給されるべきデータユニットを生成するように動作可能である送信機を備え、データユニットのそれぞれはパイロットトーンを含み、送信機装置は、第１のサブバンドに第１のデータユニットのパイロットトーンを割り当て、インクリメントされたサブバンドに各後続のデータユニットのパイロットトーンを割り当てるようにさらに動作可能である。他の実施形態では、各後続のデータユニットのインクリメントされたサブバンドは、固定の間隔だけインクリメントされた以前のデータユニットのサブバンドである。さらなる実施形態では、多重データユニットのそれぞれがシーケンス識別子をさらに備える。他の実施形態では、多重データユニットのそれぞれがデータパケットである。他の実施形態では、多重データユニットのそれぞれがバーストである。他の実施形態では、多重データユニットのそれぞれがプロトコルデータユニットである。
【００１５】
さらなる実施形態では、多重データユニットを送信するように構成された装置が提供され、その装置は、少なくとも１つのアンテナに結合されるように構成された少なくとも１つの出力および出力に結合され、出力に連続して供給されるべきデータユニットを生成するように動作可能である送信機を備え、データユニットのそれぞれはパイロットトーンを含み、送信機装置は、第１のサブバンドに第１のデータユニットのパイロットトーンを割り当て、パイロットホッピング条件が満たされるかどうかを決定し、パイロットホッピング条件が満たされる場合、インクリメントされたサブバンドに各後続のデータのパイロットトーンを割り当てるようにさらに動作可能である。他の実施形態では、各後続のデータユニットのインクリメントされたサブバンドは、所定の間隔だけインクリメントされた以前のデータユニットのサブバンドである。他の実施形態では送信機装置は、パイロットホッピング条件が満たされない場合、第１のサブバンドに各後続のデータユニットのパイロットトーンを割り当てるように動作可能である。他の実施形態では送信機装置は、チャネルパラメータを決定するようにさらに動作可能である。他の実施形態では送信機装置は、チャネルパラメータが閾値条件を満たすかどうかを決定するようにさらに動作可能である。
【００１６】
さらなる実施形態では、受信されたデータユニットを処理するように構成された装置が提供され、受信されたデータは、シーケンス識別子およびサブバンドに割り当てられたパイロットトーンを備え、その装置は、少なくとも１つのアンテナに結合されるように構成された少なくとも１つの入力および入力に結合された受話器装置を備え、受話器装置は、入力からデータユニットを受信し、データユニットのシーケンス識別子を決定し、データユニットのシーケンス識別子に基づいて受信されたデータユニットのパイロットトーンに割り当てられるサブバンドを決定するように構成されている。他の実施形態では受話器装置は、以前に受信されたデータユニットに割り当てられたサブバンドをインクリメントすることによって受信されたユニットのパイロットトーンに割り当てられるサブバンドを決定するようにさらに構成されている。他の実施形態では、以前に受信されたデータユニットに割り当てられたサブバンドは、データユニットのシーケンス識別子に基づいている間隔だけインクリメントされる。
【００１７】
さらなる実施形態では、パイロットトーンに割り当てられるべきサブバンドを選択するように構成された装置が提供され、その装置は、チャネルパラメータを決定するための手段ならびにチャネルパラメータおよびパイロットトーンに以前に割り当てられたサブバンドに基づいてパイロットトーンに割り当てられるべきサブバンドを選択するための手段を備える。他の実施形態ではその装置は、チャネルパラメータが閾値条件を満足するかどうかを決定するための手段、およびチャネルパラメータが閾値条件を満足しない場合、所定の間隔だけパイロットトーンに以前に割り当てられたサブバンドをインクリメントし、パイロットトーンに割り当てられるべきサブバンドとしてインクリメントされたサブバンドを選択するための手段をさらに備える。他の実施形態では、チャネルパラメータはＳＮ比である。他の実施形態では、チャネルパラメータはビット誤り率である。
【００１８】
さらなる実施形態では、１つまたは複数のプロセッサによって方法を実行するための命令を搬送する機械可読メディアが説明され、命令は、チャネルパラメータを決定するための命令ならびにチャネルパラメータおよびパイロットトーンに以前に割り当てられたサブバンドに基づいてパイロットトーンに割り当てられるべきサブバンドを選択するための命令を備える。
【００１９】
さらなる実施形態では、多重データユニットを送信するように構成された装置が提供され、多重データユニットのそれぞれはパイロットトーンを含み、その装置は、第１のデータユニットのパイロットトーンが第１のサブバンドに割り当てられる第１のデータユニットを送信するための手段、パイロットホッピング条件が満たされるかどうかを決定するための手段、および後続のデータユニットを送信するための手段を備え、パイロットホッピング条件が満たされない場合、後続のデータユニットのパイロットトーンは第１のサブバンドに関連しており、パイロットホッピング条件が満たされる場合、後続のユニットのパイロットトーンはインクリメントされたサブバンドに関連している。他の実施形態ではインクリメントされたサブバンドは、所定の間隔だけインクリメントされた以前のデータユニットのサブバンドである。他の実施形態では、パイロットホッピング条件が満たされるかどうかを決定するための手段が、チャネルパラメータを決定するための手段をさらに備える。他の実施形態では、パイロットホッピング条件が満たされるかどうかを決定するための手段が、チャネルパラメータが閾値条件を満たすかどうかを決定するための手段をさらに備える。他の実施形態では、パイロットホッピング条件が満たされるかどうかを決定するための手段が、受話器からインジケータを受信するための手段をさらに備える。
【００２０】
さらなる実施形態では、１つまたは複数のプロセッサによって方法を実行するために命令を搬送する機械可読メディアが提供され、その命令は、第１のサブバンドに割り当てられたパイロットトーンを含む第１のデータユニットを送信するための命令、パイロットホッピング条件が満たされるかどうかを決定するための命令、および第２のパイロットトーンを含む後続のデータユニットを送信するための命令を備え、パイロットホッピング条件が満たされない場合、第２のパイロットトーンは第１のサブバンドに関連しており、パイロットホッピング条件が満たされる場合、第２のパイロットトーンはインクリメントされたサブバンドに関連している。
【００２１】
さらなる実施形態では、受信されたデータを処理するように構成された装置が提供され、受信されたデータは、シーケンス識別子およびサブバンドに関連したパイロットトーンを備え、その装置は、データユニットのシーケンス識別子を決定するための手段およびデータユニットのシーケンス識別子に基づいて受信されたデータユニットのパイロットトーンに関連したサブバンドを決定するための手段を備える。他の実施形態では、受信されたデータユニットのパイロットトーンに割り当てられたサブバンドを決定するための手段は、以前に受信されたデータユニットに関連したサブバンドを間隔だけインクリメントするための手段をさらに備え、その間隔はデータユニットのシーケンス識別子に基づいている。他の実施形態では、方法を実行するための命令を搬送する機械可読メディアが提供され、その命令は、データユニットのシーケンス識別子を決定するための命令、およびデータユニットのシーケンス識別子に基づいて受信されたデータユニットのパイロットトーンに関連したサブバンドを決定するための命令を備える。
【００２２】
本開示によるシステムおよび方法の例示の実施形態は、一定の縮尺で描かれるものではない添付図面を参照して理解される。図面では、様々な図に示される各同一のまたはほぼ同一の構成要素は同様の指定子によって表される。明確にするために、あらゆる構成要素があらゆる図面でラベルを付けられているわけではない可能性がある。
【００２３】
本開示の特徴および性質は、同様の参照文字が全体にわたってそれに応じて識別する図面と共に用いられるときに下記に記載される詳細な説明からより明らかになる。
【詳細な説明】
【００２４】
語「例示の」は、本明細書では実施例、事例、または例示として「役立つこと」を意味するために使用される。本明細書で「例示の」として説明されるいかなる実施形態または設計は、必ずしも他の実施形態または設計より好ましいまたは有利であると解釈されるべきではない。
【００２５】
パイロットトーンの有効性は雑音および干渉によって限定されない。これらは、受信されたパイロットトーンの振幅および位相にスプリアス成分を導入することによってパイロットトーンの参照機能を低下させうる。雑音および干渉に対するパイロットトーンの保全性を保つためにパイロットトーンのインクリメント周波数ホッピングのための技術が説明される。ＯＦＤＭ／ＭＩＭＯシステム内で本開示の方法を使用するとパイロットトーンは、他のシステムからの雑音または干渉がシステム性能を低下させ始める場合、周波数帯域にわたってホップされることができる。
【００２６】
図１は、アクセスポイント１１０および１つまたは複数のユーザ端末装置１２０を有する例示の無線網１００を示す。概してアクセスポイント１１０は、基地局または基地局サブシステム（ＢＴＳ）などのユーザ端末装置と通信する固定局である。ユーザ端末装置１２０は、固定局もしくは移動局（ＳＴＡ）、無線装置、または他の任意のユーザ装置（ＵＥ）であってよい。ユーザ端末装置１２０はアクセスポイント１１０と通信することができる。あるいは、ユーザ端末装置１２０は他のユーザ端末装置１２０とピアツーピアで通信することもできる。１つの例示の実施形態では、アクセスポイント１１０は無線網ハブであり、ユーザ端末装置１２０は無線網アダプタを備える１つまたは複数のコンピュータである。１つの代替の例示の実施形態では、アクセスポイント１１０は移動通信局であり、ユーザ端末装置１２０は１つまたは複数の携帯電話、ポケットベル、または他の通信装置である。当業者は、概して図１に示されるように表されることができる他のシステムを理解する。
【００２７】
アクセスポイント１１０は、データ伝送および受信のための単一のアンテナ１１２または多重アンテナ１１２を備えることができる。同様に各ユーザ端末装置１２０は、データ伝送および受信のための単一のアンテナ１１２または多重アンテナ１１２を備えることもできる。図１に示される例示の実施形態では、アクセスポイント１１０は多重（例えば、２または４）アンテナ１１２を備え、ユーザ端末装置１２０ａおよび１２０ｄはそれぞれ単一のアンテナ１１２を備え、ユーザ端末装置１２０ｂおよび１２０ｃはそれぞれ多重アンテナ１１２を備える。概して、任意の数のアンテナ１１２が使用されることができる。すなわち、ユーザ端末装置１２０が互いに同一の数のアンテナ１１２を有することまたはユーザ端末装置１２０がアクセスポイント１１０と同一の数のアンテナ１１２を有することが必要ではない。
【００２８】
無線網１００内のユーザ端末装置１２０およびアクセスポイント１１０のそれぞれは、送信局、受信局のいずれか、または両方を含む。図２は、例示の送信局２１０および例示の受信局２５０のブロック図を示す。図２に示される実施形態では、送信局２１０が単一のアンテナ２３４を備え、受信局２５０が多重（例えば、ＮＲ＝２）アンテナ２５２ａ〜２５２ｒを備える。概して、送信局２１０および受信局２５０の両方が多重アンテナを有することができる。すなわち、典型的にはＭＩＭＯシステムでは、送信局２１０および受信局２５０の両方が多重アンテナを有する。
【００２９】
図２を再び参照すると、送信局２１０では源符号器２２０は、無線網を介して送信されることができる音声データ、画像データ、または他の任意のデータなどの未処理のデータを符号化する。典型的には符号化は、音声用の拡張変数レートコーデック（ＥＶＲＣ）符号器、画像用のＨ．３２４符合器、および他の多くの既知の符号化方式などの当技術分野で知られる多種多様の源符号化方式のうちのいずれかに基づいている。源符号化方式の選択は無線網のエンドアプリケーションに依存している。
【００３０】
源符号器２２０はトラヒックデータを生成することもできる。送信プロセッサ２３０は、源符号器２２０からトラヒックデータを受信し、伝送のために選択されたデータ速度によりトラヒックデータを処理し、出力チップを供給する。送信機装置（ＴＭＴＲ）２３２は、変調信号を生成するために出力チップを処理する。送信機装置２３２による処理は、ディジタルアナログ変換、増幅、フィルタリング、および周波数アップコンバーティングを含むことができる。次いで、送信機装置によって生成された変調信号はアンテナ２３４を介して送信される。多重アンテナ送信機装置２３２の場合、送信機装置による処理は、多重アンテナを介する伝送のための出力信号を多重化することを含むこともできる。
【００３１】
受信局２５０では、ＮＲ個のアンテナ２５２ａ〜２５２ｒが送信された信号を受信する（または送信機装置２３２が、多重送信アンテナを含み、多重化された信号を送信した場合、アンテナ２５２ａ〜２５２ｒのそれぞれが、送信アンテナのそれぞれによって送信された信号の線形結合を受信する）。各アンテナ２５２は、各受話器装置（ＲＣＶＲ）２５４に受信された信号を供給する。各受話器装置２５４はその受信された信号を処理する。１つの例示の実施形態では受話器装置２５４のそれぞれは、ディジタルサンプリングを介して信号を処理して、受信プロセッサ２６０に入力サンプルの流れを供給する。受信プロセッサ２６０は、送信プロセッサ２３０によって行われる処理と相補的な方法ですべてのＲ受話器装置２５２ａ〜２５４ｒからの入力サンプルを処理し、送信局２１０によって送信されるトラヒックデータの内容の統計的推定である出力データを供給する。源符号器２７０は、源符号器２２０によって行われる処理と相補的な方法で出力データを処理し、他の構成要素によってさらに使用されるまたは処理されるために出力として復号されたデータを供給する。
【００３２】
１つの例示の実施形態ではコントローラ２４０および２８０は、それぞれ送信局２１０および受信局２５０での処理装置の動作を導く。送信局２１０および受信局２５０は、それぞれコントローラ２４０および２８０によって使用されるデータおよび／またはプログラムコードを格納するメモリユニット２４２および２８２を含むこともできる。
【００３３】
直交周波数分割多重（ＯＦＤＭ）システム内の信号処理
ＯＦＤＭ方式を使用して全体のシステム帯域幅を複数（ＮＦ）の直交サブバンドに効果的に分割する。これらの直交サブバンドは、トーン、周波数ビン、または周波数サブチャネルと呼ばれる場合もある。ＯＦＤＭの場合、各サブバンドは、データが変調されることができる各副搬送波に関連している。ＭＩＭＯ−ＯＦＤＭシステムの場合、各サブバンドは複数の固有モードに関連していてよく、各サブバンドの各固有モードは独立した伝送チャネルと見なされることができる。
【００３４】
前述のようにＭＩＭＯ−ＯＦＤＭシステムは、チャネル応答、タイミングおよび周波数収集、データ復調、または他の機能を推定するためにパイロットトーンを使用する。例示のＭＩＭＯ−ＯＦＤＭシステムでは、これらのパイロットトーンが下記のように構築される。
【００３５】
ＭＩＭＯ−ＯＦＤＭシステム帯域幅はＮＦ個の直交サブバンドに分割される。概して直交サブバンドの数は、ＭＩＭＯシステムの送信端および受信端でのアンテナの数に依存する。１つの例示の実施形態ではＮＦ＝６４であるが、いくつかの実施形態では説明される技術は概して、任意の数の直交サブバンドならびに他のＯＦＤＭサブバンド構造を用いて動作するＭＩＭＯシステムに容易に適用されることができる。
【００３６】
パイロットトーンは所定の数のサブバンド上で送信される。ＯＦＤＭサブバンドの数および間隔は、向上されるチャネル推定および増大されるオーバヘッドのバランス、またはパイロットトーンのためにある種のサブバンドを留保することに起因する有効帯域幅の損失を最適化するように選択されることができる。１つの例示の実施形態（例えば、ここではＮＦ＝６４）では４つのパイロットトーンが使用されて、過度のデータ帯域幅を犠牲にすることなくチャネル性能の推定にとって十分なデータを供給することができる。
【００３７】
複数の要因が、局部発振器のシンボルまたは位相雑音のサンプリング時間などのＯＦＤＭシンボル上の位相回転の一因となりうる。この種の位相回転は、受信された信号の誤りの一因になりうる。パイロットトーンを使用するとき、受話器での処理アルゴリズムまたは回路は、既知のパラメータを用いて送信されるパイロットトーンからこれらの位相回転を推定し、それに応じてデータトーンを訂正することができる。したがって、パイロットトーン内の位相情報の精密なおよび正確な測定は、全体のシステム性能にとって非常に重要である。パイロットトーンに対する任意の干渉（特に、データトーン内にも存在しない位相シフトをもたらす干渉）が、データトーン上の位相トラッキングが失われうるときにシステム性能を著しく低下させる可能性がある。スプリアス位相シフトがパイロットトーン内に存在するとき、受話器処理は、データトーンを必要以上に訂正し、データトーン内に存在しない位相シフトに対して訂正しうる。
【００３８】
位相誤りをパイロットトーンにもたらしうる狭帯域干渉問題に対処するために本開示の実施形態が、パイロットトーンをインクリメントして周波数ホッピングするための技術を提供する。本明細書で開示される技術を使用するＯＦＤＭ−ＭＩＭＯシステムではパイロットトーンは、干渉または低下したチャネル応答の他の任意の源がシステムの性能を低下させていることが認められるとき、周波数帯域内の異なる位置にホップされることができる。
【００３９】
図３は、ＮＦ個のサブバンドを有する例示のＯＦＤＭ−ＭＩＭＯシステム内のパイロットトーンホッピングを概略的に示す。各サブバンドに対応する副搬送波が、概略的に表されるチャネルの周波数スペクトル内の縦線によって図３で表される。副搬送波は、１からＮＦまでにわたるインデックスｋによって参照されることができる。任意の所与の時間で、サブバンドの一部がパイロットトーンとして使用されるために留保されるが、他のサブバンド内の副搬送波は送信されたデータまたは他のシステム情報を搬送するために変調されることができる。図３に示される例示の実施形態内のある時間ｔ＝ｔ０で、サブバンドｋ＝１およびその後８番目ごとのサブバンドは、点線およびそれらのサブバンドの上方の文字Ｐによって示されたパイロットトーンと呼ばれる。さらに、これが単に例示であることが理解され、本明細書で説明される技術は、どのような間隔が望まれる場合でもチャネル内のどこにでも配置される任意の数のパイロットトーンに適用されることができる。
【００４０】
パイロットトーン内の干渉および／または位相雑音がシステム性能を妨害するとき、システムは、パイロットトーンを「ホップ」して、最初に割り当てられたサブバンドと異なるサブバンドにパイロットトーンの役割を再割当することができる。（システムがパイロットトーンをホップしうるトリガ条件は下記で議論される。）図３では、例えばｔ＝ｔ１でシステムは、１つのサブバンドだけパイロットトーンを進めている。したがって、図３に示される実施形態では、ｔ＝ｔ１でパイロットトーンはサブバンドｋ＝２、１０などに割り当てられる。同様に、システムがパイロットトーンをさらに進める場合、あるその後の時間ｔ＝ｔ２でパイロットトーンは、図３に示されるようにサブバンドｋ＝３、１１などに割り当てられることができる。１つの例示の実施形態では、最高周波数サブバンドｋ＝ＮＦがパイロットトーンと呼ばれる場合、システムがパイロットトーンをホップするまたは進めるとき、割当はチャネルの最低部に「折り返す」ことになる。すなわち、サブバンドｋ＝１がパイロットトーンと呼ばれることになる。
【００４１】
１つの実施形態ではパイロットトーンホッピングは、チャネル条件が閾値より低くなるときに引き起こされる。例えば、閾値条件は、ビットレートがある閾値レベルより低くなること、位相雑音が増大して閾値レベルを超えること、ＳＮ比が閾値レベルより低くなること、ビット誤り率が増大して閾値レベルを超えること、またはシステムによって監視される他の任意のチャネルパラメータ内の閾値低下であってよい。例示のシステムによって監視されることができる他のチャネルパラメータは、相関、チャネルコヒーレンス時間、周波数およびｒｍｓ遅延スプレッドを含む。閾値条件は、送信端で生じる処理によってまたは受話器で生じる処理によって評価されることができる。１つの実施形態では、スペクトル雑音、ＳＮ比、および／またはビットレートが受話器端で監視され、他のパラメータが送信機端で監視されることができる。閾値条件が受話器端で評価される実施形態では、閾値条件が検出されると、受話器はフラグ、信号、または他のインジケータを送信機に送信することになる。この種の実施形態では送信機は、パイロットトーンをホッピングし始めるという要求としてインジケータを解釈するようにプログラムされ、インジケータを受信することに応答してパイロットトーンをインクリメントし始める。
【００４２】
正の閾値条件を検出すると、次いで送信機はある固定の数ＮＩのサブバンドだけパイロットトーンをインクリメントする。図３に示される実施形態では、ＮＩ＝１が使用されているがＮＩの他の値が使用されることができる。１つの実施形態ではパイロットトーンは、閾値条件が検出されると１回（ＮＩサブバンドの間隔だけ）インクリメントされることができる。他の実施形態ではシステムは、ＮＩサブバンドだけパイロットトーンを繰り返しインクリメントして、インクリメントごとに閾値条件をチェックし、閾値条件がもはや満足されないとき（すなわち、１つまたは複数の監視されるチャネルパラメータがそれらの所望の範囲に戻ったとき）、パイロットトーンをインクリメントすることを中止することができる。他の実施形態では、閾値条件が検出されるとパイロットトーンは、送信機によって送信された連続したパケットまたはバーストごとに繰り返しインクリメントされて、それらがチャネルの最高周波数エンドを過ぎてインクリメントするときにパイロットトーンを折り返してｋ＝１に戻すことができる。最終的に他の実施形態では、システムは任意の閾値条件に無関係にパイロットトーンを常に変えるようにプログラムされることができる。例えば、この種のシステムは、パイロットトーンとして割り当てられたサブバンドｋ＝１から伝送を開始し、次いで送信されたパケットまたはバーストごとに１つのサブバンドだけパイロットトーンをインクリメントして、パイロットトーンがチャネルの最高周波数エンドを過ぎてインクリメントするときに折り返してｋ＝１に戻すようにプログラムされることができる。トーンのホッピングは所定の時間もしくは所定の数のフレームの間、続けることができる、またはそれは、閾値条件が送信機でもしくは受話器でもはや検出されないときに中止されることができる。あるいは、ホッピングは、送信機または受話器のいずれかで異なる閾値条件を検出すると中止されることができる。
【００４３】
１つの例示の実施形態では、パイロットトーンが周波数でホップされるべきであることが決定されるとき、ＯＦＤＭシンボル内のトーンのすべてがＮＩサブバンドだけシフトされる。したがって、例えば（図３に関して再び参照すると）、ｔ＝ｔ０ではサブバンドｋ＝１がパイロットトーンに指定されるが、サブバンドｋ＝２〜８はデータを搬送する（ｋ＝９からｋ＝ＮＦに関して同様である）。パイロットトーンがホップ（ＮＩ＝１を用いて）した後、ｔ＝ｔ１ではサブバンドｋ＝２がパイロットトーンに指定され、以前のサブバンドｋ＝２〜８内のデータに対応するデータはサブバンドｋ＝３〜９内で搬送され、サブバンドｋ＝９からｋ＝ＮＦに関して同様であり、以前のサブバンドｋ＝ＮＦ内のデータに対応するデータはサブバンドｋ＝１内で搬送される。言い換えれば、トーンがホップされるとき、各トーンはＮＩサブバンドだけ進められ、そのインクリメントだけチャネル外にホップされるであろうトーンは、第１のトーンのサブバンドを占めるようにひとまわりして「折り返す」。あるいはトーンは、逆方向にホップされて、ＮＩだけ各トーンをデクリメントし、より低いトーンをスペクトルのより高いエンドに折り返すことができる。
【００４４】
受信された信号を正しく処理するために、いくつかの実施形態では受話器は、どのサブバンドがパイロットトーンであるか、およびどれがデータトーンであるかを受信されたパケット、バースト、またはプロトコルデータユニット（ＰＤＵ）ごとに決定することができる。したがって、１つの実施形態では各パケット、バースト、またはＰＤＵは、一連の送信されたパケット内でパケットの位置を突きとめるシーケンス番号または他の固有の識別子などのシーケンス識別子を用いて送信機によって選び出される。受話器は、どのサブバンドがそのパケット、バースト、またはＰＤＵに関するパイロットトーンに割り当てられるかを決定するためにこの識別子を使用することができる。例えば、受話器が、パイロットトーンホッピングがシーケンス番号ＮＨを有するパケットの伝送から開始したことを把握し、各後続のパケット内でパイロットトーンがＮＩサブバンドだけ進められたことも把握する場合、受話器がシーケンス番号ＮＨ＋ｐを有するデータパケットを受信するとき、受話器は元のサブバンドのインデックスのそれぞれに（ｐＮＩ）ｍｏｄ（ＮＦ）を追加することによってそのパケットに関するパイロットトーンに対応するサブバンドのインデックスを算定することができる。この計算は、正しい数のステップだけパイロットトーンを進め、それらが最後のサブバンドｋ＝ＮＦを過ぎて進めるときにパイロットトーンを折り返してサブバンドｋ＝１に戻す。
【００４５】
データパケット、バースト、またはＰＤＵのシーケンス番号からパイロットトーンを正しく決定するために、いくつかの実施形態では受話器は、パイロットホッピングが始まったシーケンス番号を把握する。受話器がパイロットホッピングを始めるために送信機に命令を送信する実施形態では、受話器は、それがその命令を送信したパケット番号を格納することができる。送信機が、いつパイロットホッピングが始まるかを決定する実施形態では、送信機は、パイロットホッピングが始まるシーケンス番号を示す信号を受話器に送信することができる。
【００４６】
代替実施形態では、パケット、バースト、またはＰＤＵ自体がサブバンドのインデックスまたは周波数を直接符号化する情報を含み、その結果、受話器は伝送からそれらを単に読み取ることができる。
【００４７】
本明細書で開示される方法のいくつかを実行するように構成された装置の例示の実施形態が図４〜図６に示される。下記でさらに議論されるように、これらの装置および／またはそれらの構成要素のそれぞれは、ハードウェア、ソフトウェア、またはその組合せで実現されることができる。
【００４８】
パイロットトーンに割り当てられるべきサブバンドを選択するように構成された装置の１つの例示の実施形態が図４に示される。装置４０２は、ビットレート、位相雑音、ＳＮ比、または他の任意のチャネルパラメータなどのチャネルパラメータを決定するためのモジュール４０８を含む。チャネルパラメータ決定モジュール４０８は、１つまたは複数のチャネルパラメータの値を決定するために処理されることができる受話器からの信号などの入力信号４０４を受信することができる。１つの例示の実施形態では装置は、例えば、パイロットトーンに以前に割り当てられたサブバンドがインクリメントされるべきであるかどうかを決定するためにパイロットトーンにサブバンドを割り当てるためにチャネルパラメータを使用するサブバンド選択モジュール４１２も含む。サブバンド選択モジュール４１２は、チャネルパラメータ（モジュール４０８によって決定される）が上述のパイロットホッピング条件を満たすかどうかを決定する条件評価モジュール４１０を含むことができる。次いでサブバンドインクリメントモジュール４１４は、必要ならば条件評価モジュール４１０の出力に基づいてサブバンドをインクリメントする。１つの例示の実施形態では、装置４０２の出力４１８はパイロットトーンに割り当てられるべきサブバンドを示す信号である。次いでこの信号４１８は、例えば、伝送用データユニットを生成するプロセッサに渡されることができる。
【００４９】
図５は、各データユニットがパイロットトーンを含む多重データユニットを送信するための装置の１つの例示の実施形態を示す。装置５０２は送信モジュール５０４を含む。送信モジュール５０４は、伝送用データユニット内に符号化されるべき情報を含む入力信号５０８を受信することができる。送信モジュール５０４は、図４に関連して上述されたサブバンド選択モジュール４１２から入力信号５１０も受信する。入力信号５１０は、どんなサブバンドが、送信されるべきデータユニット内でパイロットトーンとして使用されるべきかを送信モジュールに告げる。したがって、送信モジュール５０４の出力５１２は、入力信号５０８からの符号化された情報を搬送するデータユニットおよびサブバンド選択モジュール４１２によって決定されるサブバンド内のパイロットトーンを含む。
【００５０】
データユニットを送信するための装置５０２の１つの例示の実施形態では、サブバンド選択モジュール４１２は図４に関連して上述された条件評価モジュール４１０およびサブバンドインクリメントモジュール４１４を含む。サブバンドインクリメントモジュール４１４は、必要ならば条件評価モジュール４１０の出力５１４によりサブバンドをインクリメントする。例えば、条件評価モジュール４１０の出力５１４が、パイロットホッピング条件が満たされることを示す場合、サブバンドインクリメントモジュール４１４はサブバンドをインクリメントする。他方では、条件評価モジュール４１０の出力５１４が、パイロットホッピング条件が満たされないことを示す場合、サブバンド選択モジュール４１２は、以前に送信されたデータユニットのパイロットトーンに対して割り当てられたサブバンドと同一のサブバンドを割り当てる。
【００５１】
条件評価モジュール４１０の例示の実施形態が図６Ａおよび図６Ｂに示される。図６Ａに示される実施形態では条件評価モジュール４１０は、チャネルパラメータを決定し（チャネルパラメータ決定モジュール６０４を介して）、次いでチャネルパラメータが閾値条件を満たすかどうかを決定する（閾値評価モジュール６０８を介して）。条件評価モジュールの出力５１４は、図５に示されるサブバンドインクリメントモジュール４１４に渡される。１つの代替実施形態ではチャネルパラメータ決定モジュール６０４は、条件評価モジュール４１０の構成要素ではなく個別のモジュールである。この種の１つの実施形態ではチャネルパラメータ決定モジュール６０４は、処理のために条件評価モジュール４１０にチャネルパラメータを渡す。
【００５２】
最終的に、図６Ｂに示される実施形態では条件評価モジュール４１０は、インジケータ６１２を受信するインジケータ受信モジュールを含み、インジケータ６１２は、サブバンドがインクリメントされるべきか否かを示す。
【００５３】
図７は、シーケンス識別子およびサブバンドに関連したパイロットトーンを有する受信されたデータユニットを処理するための装置７０２の１つの実施形態を示す。装置７０２は、データユニットを含む入力信号７０４を受信する。シーケンス識別子決定モジュール７０８は、シーケンス識別子を決定するために入力信号７０４を処理する。サブバンド決定モジュールは、シーケンス識別子決定モジュール７０８からシーケンス識別子を取り込み、以前に議論されたようにそれを受信されたデータユニットのパイロットトーンを決定するために使用する。例えば、１つの例示の実施形態ではサブバンド決定モジュール７１２は、受信されたデータユニットのシーケンス識別子に基づいている間隔だけ以前に受信されたデータユニットに関連したサブバンドをインクリメントすることによってサブバンドを決定する。装置７０２の出力７１４は、処理されているデータユニット内のパイロットトーンのサブバンドを示す信号であってよい。
【００５４】
本明細書で説明される技術は、ＭＩＭＯ無線通信システム内、ならびに１つまたは複数のパイロットトーンが使用される無線またはその他の方法での任意の通信システム内で実現されることができる。本明細書で説明される技術は、ハードウェア実装形態、ソフトウェア実装形態、またはその組合せを含む様々な方法で実現されることができる。ハードウェア実装形態の場合、送信局での伝送用のデータおよび／または受信局での受信用のデータを処理するために使用される処理装置は、１つまたは複数の特定用途向け集積回路（ＡＳＩＣ）、ディジタル信号プロセッサ（ＤＳＰ）、ディジタル信号処理装置（ＤＳＰＤ）、プログラマブル論理装置（ＰＬＤ）、フィールドプログラマブルゲートアレー（ＦＰＧＡ）、プロセッサ、コントローラ、マイクロコントローラ、マイクロプロセッサ、電子装置、本明細書で説明される機能を行うように設計された他の電子装置、あるいはその組合せで実現されることができる。送信局および受信局がマルチプロセッサを含む実施形態では、各局でのプロセッサはハードウェア装置を共用することができる。
【００５５】
ソフトウェア実装形態の場合、データ伝送および受信技術は、本明細書で説明される機能を行うソフトウェアモジュール（例えば、手順、関数など）を用いて実現されることができる。ソフトウェアコードは、メモリ装置（例えば、図２のメモリ装置２４２または２８２）内に格納され、プロセッサ（例えば、コントローラ２４０または２８０）によって実行されることができる。メモリ装置は、プロセッサ内でまたはプロセッサの外部で実現されることができる。
【００５６】
１つまたは複数の例示の実施形態では説明される機能は、ハードウェア、ソフトウェア、ファームウェア、またはその組合せで実現されることができる。ソフトウェア内で実現される場合、機能はコンピュータ可読メディア上の１つまたは複数の命令またはコードとして格納されるまたは送信されることができる。コンピュータ可読メディアは、ある位置から他へのコンピュータプログラムの転送を容易にする任意のメディアを含むコンピュータ記憶メディアおよび通信メディアの両方を含む。記憶メディアは、コンピュータによってアクセスされることができる任意の利用可能なメディアであってよい。例として限定されないが、この種のコンピュータ可読メディアは、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または命令もしくはデータ構造の形で所望のプログラムコードを搬送するもしくは格納するために使用されることはでき、コンピュータによってアクセスされることができる他の任意のメディアを備えることができる。また、任意の接続がコンピュータ可読メディアと適切に呼ばれる。例えば、ソフトウェアが、同軸ケーブル、光ファイバケーブル、ツイストペア線、ディジタル加入者線（ＤＳＬ）、または赤外線、電波、およびマイクロ波などの無線技術を使用してウェブサイト、サーバ、または他の遠隔源から送信される場合、同軸ケーブル、光ファイバケーブル、ツイストペア線、ＤＳＬ、または赤外線、電波、およびマイクロ波などの無線技術はメディアの定義の中に含まれる。本明細書で使用されるディスク（disk and disc）は、コンパクトディスク（ＣＤ）、レーザディスク、光ディスク、ディジタルバーサタイルディスク（ＤＶＤ）、フロッピディスクおよびブルーレイディスクを含み、ここでディスク（disk）は通常、磁気的にデータを再生し、ディスク（disc）はレーザを用いて光学的にデータを再生する。上記の組合せもコンピュータ可読メディアの範囲内に含まれるべきである。
【００５７】
開示された実施形態の以前の説明は、当業者が本開示を作成するまたは使用することができるために提供される。これらの実施形態に対する様々な変更形態が当業者には容易に明らかであり、本明細書で定義された包括的な原理が本開示の精神または範囲から逸脱することなく他の実施形態に適用されることができる。したがって、本開示は、本明細書で示される実施形態に限定されるものではなく、本明細書で開示された原理および新しい特徴に従う全幅の範囲を許与されるものである。
【図面の簡単な説明】
【００５８】
【図１】無線網の概略図を示す図。
【図２】送信局および受信局のブロック図を示す図。
【図３】サブバンドにわたるパイロットトーンホッピングの概略図を示す図。
【図４】パイロットトーンのためのサブバンドを選択するための装置の１つの実施形態の概略図を示す図。
【図５】パイロットトーンを含むデータユニットを送信するための装置の１つの実施形態の概略図を示す図。
【図６Ａ】パイロットホッピング条件が存在するかどうかを評価するための装置の１つの実施形態の概略図を示す図
【図６Ｂ】パイロットホッピング条件が存在するかどうかを評価するための装置の他の実施形態の概略図を示す図。
【図７】受信されたデータユニットのパイロットトーンに割り当てられたサブバンドを決定するための装置の１つの実施形態の概略図を示す図。
【図１】
2009538058.tif 000003
【図２】
2009538058.tif 000004
【図３】
2009538058.tif 000005
【図４】
2009538058.tif 000006
【図５】
2009538058.tif 000007
【図６Ａ】
2009538058.tif 000008
【図６Ｂ】
2009538058.tif 000009
【図７】
2009538058.tif 000010
【国際調査報告】
2009538058.tif 000011
2009538058.tif 000012